(57)【特許請求の範囲】
【請求項１】
第１電源管理装置と、
第２電源管理装置と、
複数の降圧スイッチングレギュレータと、
画像形成に関連する情報処理を行う中央処理装置と、
を備える画像形成装置であって、
前記第１電源管理装置は、
第１電圧が供給される第１降圧スイッチングレギュレータから、前記第１電圧よりも低い第２電圧を供給するよう制御を行う第１スイッチング制御部と、
第１電圧が供給される第２降圧スイッチングレギュレータから、前記第１電圧よりも低い第３電圧を供給するよう制御を行う第２スイッチング制御部と、
を備え、
前記第２電圧は前記第２電源管理装置に供給されており、
前記第２電源管理装置は、
前記第２電圧が供給される第３降圧スイッチングレギュレータから、前記第２電圧よりも低い第４電圧を供給するよう制御を行う第３スイッチング制御部と、
前記第２電源管理装置の異常を検出した場合に、前記第３スイッチング制御部を停止させる第１停止部と、
前記第３降圧スイッチングレギュレータから供給されている前記第４電圧が所定値より小さいか否かを監視する監視部と、
を備え、
前記第４電圧は前記中央処理装置に供給され、
前記第２スイッチング制御部は、前記第４電圧が前記所定値よりも小さくなったことを示す通知信号を前記監視部から受信すると、前記第３電圧を供給する前記第２降圧スイッチングレギュレータの制御を停止することを特徴とする画像形成装置。
【請求項２】
前記第４電圧は前記中央処理装置の各種演算を実行するコア部分へ供給され、
前記第２降圧スイッチングレギュレータが供給する前記第３電圧は、前記中央処理装置の前記コア部分とは異なる部分へ供給されることを特徴とする、請求項１に記載の画像形成装置。
【請求項３】
前記第２スイッチング制御部は、前記第３降圧スイッチングレギュレータが供給する前記第４電圧が前記所定値よりも大きいことを示す通知信号を前記監視部から受信すると、制御を行う一方、前記所定値よりも小さいことを示す通知信号を前記監視部から受信すると、制御を行わないことを特徴とする請求項２に記載の画像形成装置。
【請求項４】
前記第１電源管理装置は、前記第１電源管理装置の異常を検出した場合に、前記第１スイッチング制御部および前記第２スイッチング制御部を停止させる第２停止部をさらに備えることを特徴とする請求項１に記載の画像形成装置。
【請求項５】
前記第１電源管理装置は、前記中央処理装置より受信した設定値を記憶する記憶部を備え、
前記第２スイッチング制御部は、前記記憶部に記憶された前記設定値に従い制御を実行し、
前記第２電源管理装置は、前記中央処理装置より前記設定値を受信しないことを特徴とする、請求項１〜４に記載の画像形成装置。
【請求項６】
前記第１電圧を供給する電源部へ再起動を指示可能な再起動部を備え、
前記再起動部は、前記第４電圧が前記所定値よりも小さいまたは大きいことを示す前記通知信号を前記監視部から受信し、
前記第１電源管理装置は、前記第２停止部が第１電源管理装置の異常を検出したことを、前記再起動部に報知する報知部を備え、
前記再起動部は、前記報知部から報知されたときに、前記第４電圧が前記所定値よりも小さいことを示す前記通知信号を受信している場合には前記電源部へ再起動を指示し、前記第４電圧が前記所定値よりも大きいことを示す前記通知信号を受信している場合には前記電源部へ再起動を指示しないことを特徴とする請求項４に記載の画像形成装置。
【発明の詳細な説明】
【技術分野】
【０００１】
本発明は、電源管理装置を備える画像形成装置に関する。
【背景技術】
【０００２】
特許文献１には、モータドライバと複数のＤＣ／ＤＣコンバータを備えた1つの複合ＩＣ（Integrated Circuit）を使用した印刷装置が開示されている。この複合ＩＣでは、特定のＤＣ／ＤＣコンバータが保護回路によって停止されたことをＣＰＵ（Central Processing Unit）に通知することができる。また、ＣＰＵから信号を出力することによって、複合ＩＣ自体の電源をオフすることなく、停止されたＤＣ／ＤＣコンバータを復帰させることができる。
【先行技術文献】
【特許文献】
【０００３】
【特許文献１】特開２００６−２０４９５号公報
【発明の概要】
【発明が解決しようとする課題】
【０００４】
発熱対策や、ノイズ対策等の理由により、複数のＤＣ／ＤＣコンバータを備えた複合ＩＣを、複数個使用する場合がある。また、第２の複合ＩＣに電力を供給する第１の複合ＩＣと、ＣＰＵへ電力を供給する第２の複合ＩＣとを備える場合がある。この場合、例えば第１の複合ＩＣに故障等が発生すると、第２の複合ＩＣの動作が不安定になり、第２の複合ＩＣからＣＰＵへ異常な電圧が供給されてしまい、ＣＰＵが故障するおそれがある。本明細書では、このような不便性を解消することができる技術を提供する。
【課題を解決するための手段】
【０００５】
本明細書に開示されている画像形成装置は、第１電源管理装置と、第２電源管理装置と、複数の降圧スイッチングレギュレータと、画像形成に関連する情報処理を行う中央処理装置と、を備える画像形成装置であって、第１電源管理装置は、第１電圧が供給される第１降圧スイッチングレギュレータから、第１電圧よりも低い第２電圧を供給するよう制御を行う第１スイッチング制御部と、第１電圧が供給される第２降圧スイッチングレギュレータから、第１電圧よりも低い第３電圧を供給するよう制御を行う第２スイッチング制御部と、を備え、第２電圧は第２電源管理装置に供給されており、第２電源管理装置は、第２電圧が供給される第３降圧スイッチングレギュレータから、第２電圧よりも低い第４電圧供給するよう制御を行う第３スイッチング制御部と、第２電源管理装置の異常を検出した場合に、第３スイッチング制御部を停止させる第１停止部と、第３降圧スイッチングレギュレータから供給されている第４電圧が所定値より小さいか否かを監視する監視部と、を備え、第４電圧は中央処理装置に供給され、第２スイッチング制御部は、第４電圧が所定値よりも小さくなったことを示す通知信号を監視部から受信すると、第３電圧を供給する第２降圧スイッチングレギュレータの制御を停止することを特徴とする。
【０００６】
このように構成された画像形成装置によれば、第２電源管理装置の第３降圧スイッチングレギュレータで異常が発生したときには、第１電源管理装置では、第１降圧スイッチングレギュレータを停止させない一方で、第２降圧スイッチングレギュレータを停止する。第１降圧スイッチングレギュレータは、第２電源管理装置へ電力を供給するスイッチングレギュレータであるため、第２電源管理装置内の監視部などの各種回路を、動作状態に維持することができる。これにより、異常発生時においても、第２電源管理装置の第３降圧スイッチングレギュレータから中央処理装置へ、異常電圧が供給されないように監視および制御することができる。これにより、中央処理装置が故障してしまう事態を防止できるため、画像形成装置に致命的な損傷を与えることを防ぐことが可能となる。
【０００７】
コア部分は、中央処理装置の各種演算を実行する部分であり、コア部分とは異なる部分を制御する部分である。コア部分への電力供給が停止している間に、コア部分とは異なる部分に電力が供給されると、コア部分とは異なる部分がコア部分によって制御されていない状態で、コア部分とは異なる部分に電力が供給されることになるため、コア部分とは異なる部分が故障するおそれがある。請求項２に記載の画像形成装置では、コア部分への第４電圧が停止した場合には、コア部分とは異なる部分へ供給される第３電圧を停止することができる。よって、コア部分とは異なる部分が故障してしまう事態を防止できる。
【０００８】
また、請求項３に記載の画像形成装置では、第４電圧が所定値よりも小さくなることに応じて、中央処理装置のコア部分とは異なる部分への電力供給を停止することができる。これにより、コア部分とは異なる部分がコア部分によって制御されていない状態で、コア部分とは異なる部分に電力が供給されてしまう事態を防止することができる。よって、コア部分とは異なる部分が故障してしまう事態を防止できる。
【０００９】
また、請求項４に記載の画像形成装置では、第１電源管理装置に異常が発生した場合には、第１および第２スイッチング制御部を停止させることで、第２電圧および第３電圧の供給を停止することができる。第３スイッチング制御部は、第２電圧の供給により動作しているため、第２電圧の供給を停止することで、第３スイッチング制御部の動作を停止させることができる。すなわち第２電圧を、第１電源管理装置から第２電源管理装置へ停止を指示するための信号として用いることができる。これにより、第３スイッチング制御部の動作停止を指示するための新たな回路を設ける必要を無くすことができるため、画像形成装置の構成を簡易化することが可能となる。また、第２スイッチング制御部から中央処理装置のコア部分とは異なる部分へ供給される第３電圧を、第３スイッチング制御部からコア部分へ供給される第４電圧よりも先に停止させることができる。これにより、コア部分とは異なる部分が故障してしまう事態を防止できる。
【００１０】
また、請求項５に記載の画像形成装置では、第１電源管理装置の第２スイッチング制御部が中央処理装置によって制御される一方で、第２電源管理装置の第３スイッチング制御部が中央処理装置によって制御されない形態とすることができる。よって、中央処理装置と第２電源管理装置との間の通信を不要とすることができるため、画像形成装置の構成を簡易化することが可能となる。
【００１１】
また、請求項６に記載の画像形成装置では、第１電源管理装置に異常が発生している旨の報知を中央処理装置が報知部から受信したときに、第４電圧が所定値よりも小さい旨の通知信号を中央処理装置が受信している場合には、第２電源管理装置に異常が発生したことにより第１電源管理装置に異常が発生している場合であると判断できる。この場合には、第１電源管理装置に故障が発生していない可能性があるため、画像形成装置を再起動するように制御することができる。一方、第１電源管理装置に異常が発生している旨の報知を受信したときに、第４電圧が所定値よりも大きい旨の通知信号を受信している場合には、第１電源管理装置に異常が発生している場合であると判断できる。この場合には、第２電源管理装置に第２電圧を供給する第１電源管理装置に故障が発生しているため、画像形成装置を再起動しないように制御することができる。これにより、画像形成装置の再起動を適切に制御することができる。
【図面の簡単な説明】
【００１２】
【図１】画像形成装置の制御構成を示すブロック図である。
【図２】電源管理装置の詳細なブロック図（その１）である。
【図３】電源管理装置の詳細なブロック図（その２）である。
【図４】異常発生時の動作の一覧表である。
【図５】画像形成装置の動作を示すタイミングチャートである。
【図６】画像形成装置の動作を示すタイミングチャートである。
【図７】画像形成装置の動作を示すタイミングチャートである。
【図８】画像形成装置の動作を示すタイミングチャートである。
【発明を実施するための形態】
【００１３】
＜画像形成装置の構成＞
図１は、本明細書に係る画像形成装置１の制御構成を示すブロック図である。画像形成装置１は、インクジェット方式に従う記録ヘッドを用いた画像形成装置である。図１に示すように、画像形成装置１は、ＡＳＩＣ（Application Specific Integrated Circuit）１０、記録ヘッド１１、電源管理装置１００および２００、ペーパーフィードモータ１３１、オートドキュメントフィードモータ１３２、フラットベッドモータ１３３、キャリッジモータ１３４、ＤＤＲメモリ２８１、周辺回路３０１、電源部３０２を備える。
【００１４】
ＡＳＩＣ１０は、キャリッジモータ１３４などの各種のモータや、記録ヘッド１１を制御するための制御信号を生成する、特殊用途集積回路である。ＡＳＩＣ１０は、ＣＰＵやＡＳＩＣ、あるいはそれらが一体化された１チップＩＣであるシステムＩＣやＬＳＩでもよい。ＡＳＩＣ１０は、コア部３００、再起動部３１７を備える。コア部３００は、ＡＳＩＣ１０の中核部分であり、演算処理などを行なう部分である。再起動部３１７には、リセット信号ＲＴＣ＿Ｒ、信号Ｐ＿ＧＯＯＤ２が入力される。再起動部３１７からは再起動信号ＢＳが出力され、電源部３０２に入力される。再起動信号ＢＳは、電源部３０２へ再起動を指示する信号である。なお、ＡＳＩＣ１０に備えられるその他の回路については、説明を省略する。
【００１５】
電源管理装置１００および２００は、各々、別体のＩＣ（Integrated Circuit）として形成されている。電源管理装置１００および２００は、電力供給のためのスイッチング制御回路を備えた複合ＩＣである。即ち、本明細書に係る画像形成装置１は、複合ＩＣを２つ用いた構成を有している。
【００１６】
電源部３０２には、ＡＣ電源が入力される。電源部３０２からは、ＤＣ電源である３１ボルトの入力電圧ＶＤが出力される。入力電圧ＶＤは、電源管理装置１００に入力される。電源部３０２は、再起動信号ＢＳによって再起動が指示されると、入力電圧ＶＤを０ボルトに低下させてから再度３１ボルトにする動作（パワーオンリセット動作）を実行する。ペーパーフィードモータ１３１は、記録位置において印刷用紙の紙送りをするためのモータである。オートドキュメントフィードモータ１３２は、複数枚の原稿用紙を連続して紙送りするためのモータである。フラットベッドモータ１３３は、読み取り部を移動させるためのモータである。キャリッジモータ１３４は、印刷を行なうキャリッジをその走査方向へ往復移動させるためのモータである。ペーパーフィードモータ１３１およびキャリッジモータ１３４は、ＤＣモータである。また、オートドキュメントフィードモータ１３２およびフラットベッドモータ１３３は、ステッピングモータである。
【００１７】
記録ヘッド１１は、インクジェット方式に従ってインクを吐出して記録を行なう部品である。記録ヘッド１１は、キャリッジに搭載される。ＤＤＲメモリ２８１は、同期型のＤＲＡＭ（Dynamic Random Access Memory）である。周辺回路３０１は、各種の回路（例：ＵＳＢホスト）である。
【００１８】
＜電源管理装置１００＞
図２に、電源管理装置１００の詳細なブロック図を示す。電源管理装置１００は、制御手段１０１、電力供給手段１２０、モータ駆動手段１３０、温度監視回路１０５、リセット回路１０６、ウォッチドッグタイマ１１３、チャージポンプ回路１４３、を備える。
【００１９】
チャージポンプ回路１４３には、入力電圧ＶＤ（３１ボルト）が入力される。チャージポンプ回路１４３からは、入力電圧ＶＤを昇圧した昇圧電圧ＶＵが出力されている。昇圧電圧ＶＵは、制御手段１０１、スイッチング制御回路１２１〜１２３、モータ駆動手段１３０に入力されている。
【００２０】
電力供給手段１２０の構成を説明する。電力供給手段１２０は、スイッチング制御回路１２１〜１２３、および過電圧／減電圧検出回路１２４を備える。スイッチング制御回路１２１、平滑回路１５１および分圧回路１６１によって、スイッチングレギュレータＳＲ１１が構成されている。スイッチング制御回路１２２、平滑回路１５２および分圧回路１６２によって、スイッチングレギュレータＳＲ１２が構成されている。スイッチング制御回路１２３、平滑回路１５３および分圧回路１６３によって、スイッチングレギュレータＳＲ１３が構成されている。
【００２１】
スイッチングレギュレータＳＲ１１の構成および動作について説明する。平滑回路１５１は、不図示のチョークコイル、ダイオード、コンデンサが組み合わされた回路である。スイッチング制御回路１２１から出力されたパルス電圧ＰＳ１１は、平滑回路１５１に入力される。平滑回路１５１からは電圧Ｖ１が出力される。分圧回路１６１には電圧Ｖ１が入力される。分圧回路１６１は、平滑回路１５１から入力される電圧Ｖ１を分圧してフィードバック電圧ＶＦ１１を生成する回路である。分圧回路１６１から出力されるフィードバック電圧ＶＦ１１は、スイッチング制御回路１２１に入力される。
【００２２】
スイッチングレギュレータＳＲ１１には、入力電圧ＶＤおよび昇圧電圧ＶＵが入力されている。記憶手段１０２に記憶されているスイッチング動作設定値が、スイッチング制御回路１２１を動作させる旨の内容である場合には、スイッチング制御回路１２１ではスイッチング制御が行われる。これにより、フィードバック電圧ＶＦ１１に基づいて、パルス電圧ＰＳ１１のデューティ比が制御される。パルス電圧ＰＳ１１は、平滑回路１５１で平滑化される。その結果、入力される入力電圧ＶＤ（３１ボルト）を、安定した電圧Ｖ１（５ボルト）に降圧する制御が行われる。スイッチングレギュレータＳＲ１１から出力される電圧Ｖ１は、電源管理装置２００および周辺回路３０１に入力される。
【００２３】
スイッチングレギュレータＳＲ１２では、入力される入力電圧ＶＤ（３１ボルト）を、安定した電圧Ｖ４（３．３ボルト）に降圧する制御が行われる。スイッチングレギュレータＳＲ１２から出力される電圧Ｖ４は、ＡＳＩＣ１０に入力される。なお、電圧Ｖ４は、ＡＳＩＣ１０のコア部３００には供給されない。スイッチングレギュレータＳＲ１３では、入力される入力電圧ＶＤ（３１ボルト）を、安定した電圧ＨＶＤＤに降圧する制御が行われる。スイッチングレギュレータＳＲ１３から出力される電圧ＨＶＤＤは、記録ヘッド１１に入力される。なお、スイッチングレギュレータＳＲ１２、ＳＲ１３の構成および動作は、スイッチングレギュレータＳＲ１１の構成および動作と同様であるため、説明を省略する。
【００２４】
過電圧／減電圧検出回路１２４は、スイッチングレギュレータＳＲ１１〜ＳＲ１３の出力電圧が、設定電圧から所定の割合を超えて上昇または下降したことに対応する停止信号が、異常検知手段１４２から入力されると、スイッチング制御回路１２１〜１２３を停止させる回路である。
【００２５】
制御手段１０１の構成を説明する。制御手段１０１は、記憶手段１０２、信号出力手段１０３、復帰手段１０４、駆動周波数生成回路１４１、異常検知手段１４２、を備える。制御手段１０１には、電源管理装置２００から信号Ｐ＿ＧＯＯＤ２が入力される。
【００２６】
また制御手段１０１には、入力電圧ＶＤおよび昇圧電圧ＶＵが入力される。制御手段１０１は、図２中に図示していないが、電力供給手段１２０、過電流検出回路１０８、リセット回路１０６、ウォッチドッグタイマ１１３など、電源管理装置１００内部に備えられている回路と通信が可能とされている。制御手段１０１は、ＡＳＩＣ１０から、シリアル通信によりコントロールされる。具体的には、クロック信号ＣＬＫ、データ信号ＤＡＴＡ、ストローブ信号ＳＴＢ１の３つの制御信号によって、シリアル通信を行う。これにより、例えば、１６ビットのシリアルデータを通信することができる。
【００２７】
記憶手段１０２には、ＡＳＩＣ１０から、クロック信号ＣＬＫ、データ信号ＤＡＴＡ、ストローブ信号ＳＴＢ１、が入力される。記憶手段１０２は、前述したシリアル通信によって、ＡＳＩＣ１０から送信された設定情報を記憶するレジスタである。記憶手段１０２に記憶する設定情報の例としては、スイッチング制御回路１２１〜１２３を動作させるか否かについてのスイッチング動作設定値や、モータ駆動手段１３０の動作を復帰させる復帰信号や、記録ヘッド１１を用いて印刷用紙に記録を行う際の記録処理指令などが挙げられる。
【００２８】
信号出力手段１０３は、温度監視回路１０５で異常が検出されることに応じて、アラーム信号ＴＨ＿ＡＬＭ１をＡＳＩＣ１０に出力する。復帰手段１０４は、ＡＳＩＣ１０から復帰信号が入力されることに応じて、停止しているモータ駆動手段１３０の動作を復帰させる。なお復帰信号は、前述したシリアル通信によって、ＡＳＩＣ１０から入力される。駆動周波数生成回路１４１は、スイッチングレギュレータＳＲ１１〜ＳＲ１３のスイッチング周波数ｆ１を生成する回路である。
【００２９】
異常検知手段１４２は、電源管理装置１００内の回路に発生した各種の異常を検出する回路である。異常検知手段１４２は、電源管理装置１００内で発生した異常を検出すると、スイッチング制御回路１２１〜１２３を停止させる停止信号を過電圧／減電圧検出回路１２４に出力する。また異常検知手段１４２は、ローレベルのＰ＿ＧＯＯＤ２が入力されると、スイッチング制御回路１２２および１２３を停止させる停止信号を過電圧／減電圧検出回路１２４に出力する。
【００３０】
ウォッチドッグタイマ１１３には、ＡＳＩＣ１０からクロック信号ＣＬＫが入力される。クロック信号ＣＬＫは、モータ基準クロック信号としても用いられる。ウォッチドッグタイマ１１３は、モータ基準クロック信号に異常を検出した場合には、不図示の保護回路１０７を介してモータ駆動回路１０９〜１１２を停止させる回路である。温度監視回路１０５は、電源管理装置１００内部の温度を検出する回路である。
【００３１】
リセット回路１０６は、温度監視回路１０５や異常検知手段１４２などから異常を検出したことを示す信号が入力されることに応じて、リセット信号ＲＴＣ＿Ｒやリセット信号ＡＳＩＣ＿ＲをＡＳＩＣ１０へ出力する回路である。リセット信号ＲＴＣ＿Ｒは、電源管理装置１００で異常が発生している旨をＡＳＩＣ１０へ報知するための信号である。リセット信号ＲＴＣ＿Ｒは、例えば、ＡＳＩＣ１０内に備えられているＲＴＣ（Real Time Clock）（不図示）をリセットするために用いられても良い。
【００３２】
モータ駆動手段１３０の構成を説明する。モータ駆動手段１３０は、モータ駆動回路１０９〜１１２および過電流検出回路１０８を備える。モータ駆動回路１０９〜１１２の各々は、ペーパーフィードモータ１３１〜キャリッジモータ１３４の各々を駆動する回路である。
【００３３】
過電流検出回路１０８は、ペーパーフィードモータ１３１〜キャリッジモータ１３４に所定値を超える電流が流れたことを検出する。これにより、ショートといった異常発生の検出が可能となる。また、モータの負荷が非常に大きくなった過負荷状態（紙詰まり等）の検出が可能となる。
【００３４】
＜電源管理装置２００＞
図３に、電源管理装置２００の詳細なブロック図を示す。電源管理装置２００は、制御手段２０１、電力供給手段２２０、温度監視回路２０５、を備える。電源管理装置２００には、電圧Ｖ１（５ボルト）が供給されている。また電源管理装置２００には、ＡＳＩＣ１０から、クロック信号ＣＬＫ、データ信号ＤＡＴＡ、ストローブ信号ＳＴＢ１などが入力されていない。すなわち電源管理装置２００は、ＡＳＩＣ１０から設定情報を受信していない装置である。
【００３５】
電力供給手段２２０の構成を説明する。電力供給手段２２０は、スイッチング制御回路２２１および２２２、リニアレギュレータ２２３、過電圧／減電圧検出回路２２４、出力電圧監視回路２９１および２９２、を備える。スイッチング制御回路２２１、平滑回路２５１および分圧回路２６１によって、スイッチングレギュレータＳＲ２１が構成されている。スイッチング制御回路２２２、平滑回路２５２および分圧回路２６２によって、スイッチングレギュレータＳＲ２２が構成されている。スイッチングレギュレータＳＲ２１およびＳＲ２２、リニアレギュレータ２２３には、５ボルトの電圧Ｖ１が入力されている。スイッチングレギュレータＳＲ２１では、入力される電圧Ｖ１（５ボルト）を、安定した電圧Ｖ２（１．２ボルト）に降圧する制御が行われる。スイッチングレギュレータＳＲ２１から出力される電圧Ｖ２は、ＡＳＩＣ１０内部のコア部３００へ供給される。スイッチングレギュレータＳＲ２２では、入力される電圧Ｖ１（５ボルト）を、安定した電圧Ｖ３（１．５ボルト）に降圧する制御が行われる。スイッチングレギュレータＳＲ２２から出力される電圧Ｖ３は、ＡＳＩＣ１０およびＤＤＲメモリ２８１に供給されている。なお、スイッチングレギュレータＳＲ２１、ＳＲ２２の構成および動作は、スイッチングレギュレータＳＲ１１の構成および動作と同様であるため、説明を省略する。
【００３６】
リニアレギュレータ２２３から出力されている３．３ボルトの電圧Ｖ５は、ＡＳＩＣ１０に入力されている。リニアレギュレータ２２３は、入出力間に必要な最低電位差が低い、低ドロップアウト電圧レギュレータ（ＬＤＯ）である。電圧Ｖ５は、ＡＤ変換に用いられる電圧である。電圧Ｖ５を設定電圧（３．３ボルト）にレギュレートするための基準電圧は、基準電圧生成回路２４３から供給されている。
【００３７】
出力電圧監視回路２９１には、分圧回路２６１から出力されるフィードバック電圧ＶＦ２１が入力されている。出力電圧監視回路２９１からは、信号Ｐ＿ＧＯＯＤ１が出力され、制御手段２０１に入力されている。出力電圧監視回路２９１は、スイッチングレギュレータＳＲ２１から出力されている電圧Ｖ２が、設定電圧（１．２ボルト）にレギュレートされているか否かを監視し、監視結果を信号Ｐ＿ＧＯＯＤ１を用いて制御手段２０１へ報知する回路である。信号Ｐ＿ＧＯＯＤ１は、予め定められた第１所定値ＰＶ１よりも電圧Ｖ２が大きい場合にはハイレベルとなり、予め定められた第１所定値ＰＶ１よりも電圧Ｖ２が小さい場合にはローレベルとなる信号である。第１所定値ＰＶ１の値は、画像形成装置１の製造者等によって予め定められるとしてもよい。第１所定値ＰＶ１は、例えば、設定電圧からマージン値を減算して定めてもよい。マージン値が０．１ボルトの場合には、第１所定値ＰＶ１は１．１ボルトとなる。
【００３８】
出力電圧監視回路２９２には、分圧回路２６２から出力されるフィードバック電圧ＶＦ２２が入力されている。出力電圧監視回路２９２からは、信号Ｐ＿ＧＯＯＤ２が出力され、電源管理装置１００の制御手段１０１に入力されている。出力電圧監視回路２９２は、スイッチングレギュレータＳＲ２２から出力されている電圧Ｖ３が、設定電圧（１．５ボルト）にレギュレートされているか否かを監視し、監視結果を信号Ｐ＿ＧＯＯＤ２を用いて制御手段１０１へ報知する回路である。信号Ｐ＿ＧＯＯＤ２は、予め定められた第２所定値ＰＶ２よりも電圧Ｖ３が大きい場合にはハイレベルとなり、予め定められた第２所定値ＰＶ２よりも電圧Ｖ３が小さい場合にはローレベルとなる信号である。第２所定値ＰＶ２の値は、画像形成装置１の製造者等によって予め定められるとしてもよい。第２所定値ＰＶ２は、例えば、設定電圧からマージン値を減算して定めてもよい。マージン値が０．１ボルトの場合には、第２所定値ＰＶ２は１．４ボルトとなる。
【００３９】
過電圧／減電圧検出回路２２４は、スイッチング制御回路２２１または２２２から出力される電圧Ｖ２または電圧Ｖ３が、設定電圧から所定の割合を超えて上昇または下降したことを検出したことに対応する停止信号が、異常検知手段２４２から入力されると、スイッチング制御回路２２１および２２２、リニアレギュレータ２２３を停止させる回路である。また過電圧／減電圧検出回路２２４は、リニアレギュレータ２２３から出力される電圧Ｖ５が設定電圧から所定の割合を超えて上昇または下降したことに対応する停止信号が、異常検知手段２４２から入力されると、リニアレギュレータ２２３のみを停止させる。
【００４０】
制御手段２０１の構成を説明する。制御手段２０１は、信号出力手段２０３、復帰手段２０４、駆動周波数生成回路２４１、異常検知手段２４２、基準電圧生成回路２４３、を備える。制御手段２０１には、電圧Ｖ１が入力される。制御手段２０１は、図３中に図示していないが、過電圧／減電圧検出回路２２４と通信が可能とされている。また制御手段２０１には、出力電圧監視回路２９１から信号Ｐ＿ＧＯＯＤ１が入力される。異常検知手段２４２は、スイッチングレギュレータＳＲ２１またはＳＲ２２に異常が発生した旨を検知すると、スイッチング制御回路２２１および２２２を停止する停止信号を過電圧／減電圧検出回路２２４に出力する。基準電圧生成回路２４３は、リニアレギュレータ２２３で使用する基準電圧を生成する回路である。なお、電源管理装置２００（図３）におけるその他の構成要素は、電源管理装置１００（図２）における同一の名称を有する構成要素と同様の機能を有している。よって、詳細な説明はここでは省略する。
【００４１】
＜画像形成装置１の動作＞
画像形成装置１の動作を説明する。画像形成装置１は、インクを吐出して記録を行なう記録ヘッド１１を搭載したキャリッジ（不図示）を、キャリッジモータ１３４によって往復移動させる。具体的には、キャリッジモータ１３４の正転及び逆転によって、不図示のガイドシャフトに沿ってキャリッジを往復移動させる。また、ペーパーフィードモータ１３１を駆動することにより、印刷用紙をペーパーフィード機構（不図示）を介して給紙し、記録位置まで搬送し、その記録位置において記録ヘッド１１から印刷用紙の表面にインクを吐出することで記録を行う。
【００４２】
＜異常発生時の動作＞
電源管理装置１００および２００の、異常発生時の動作について以下に説明する。例として、図４を用いて、パターン１〜５の５つのパターンについて説明する。図４は、電源管理装置１００および電源管理装置２００についての、異常発生時の動作の一覧表である。
【００４３】
パターン１の動作について、図５のタイミングチャートを用いて説明する。パターン１の動作は、電源管理装置２００のスイッチング制御回路２２１に異常が発生した場合の動作である。時刻Ｔ１１において、スイッチング制御回路２２１に異常が発生すると、スイッチングレギュレータＳＲ２１は動作を停止し、電圧Ｖ２の値が設定電圧である１．２ボルトから低下し始める。
【００４４】
時刻Ｔ１２において、電圧Ｖ２が第１所定値ＰＶ１（１．１ボルト）よりも小さくなると、出力電圧監視回路２９１から出力される信号Ｐ＿ＧＯＯＤ１はハイレベルからローレベルへ遷移する（矢印Ｙ１１）。信号Ｐ＿ＧＯＯＤ１がローレベルに遷移した旨が、制御手段２０１に報知される。すると、異常検知手段２４２は過電圧／減電圧検出回路２２４へスイッチング制御回路２２２を停止する停止信号を出力する。すると、過電圧／減電圧検出回路２２４は、スイッチングレギュレータＳＲ２２のスイッチング制御回路２２２を停止する（矢印Ｙ１２）。よってスイッチングレギュレータＳＲ２２から出力される電圧Ｖ３の値が、設定電圧である１．５ボルトから低下し始める。
【００４５】
時刻Ｔ１３において、電圧Ｖ３が第２所定値ＰＶ２（１．４ボルト）よりも小さくなると、出力電圧監視回路２９２から出力される信号Ｐ＿ＧＯＯＤ２はハイレベルからローレベルへ遷移する（矢印Ｙ１３）。ローレベルの信号Ｐ＿ＧＯＯＤ２はが、電源管理装置１００の制御手段１０１およびＡＳＩＣ１０の再起動部３１７に入力される。異常検知手段１４２は、スイッチング制御回路１２２および１２３を停止させる停止信号を入力する。すると、過電圧／減電圧検出回路１２４は、スイッチング制御回路１２２（スイッチングレギュレータＳＲ１２）およびスイッチング制御回路１２３（スイッチングレギュレータＳＲ１３）を停止する。よって、スイッチングレギュレータＳＲ１２から出力される、電圧Ｖ４（３．３ボルト）が低下し始める（矢印Ｙ１４）。一方、過電圧／減電圧検出回路１２４は、スイッチングレギュレータＳＲ１１のスイッチング制御回路１２１は停止しない。よって、スイッチングレギュレータＳＲ１１から出力される電圧Ｖ１は、５ボルトの状態が維持される（領域Ｒ１１）。
【００４６】
時刻Ｔ１４において、電圧Ｖ４が第３所定値ＰＶ３（３．２ボルト）よりも小さくなる。異常検知手段１４２は、Ｖ４が第３所定値ＰＶ３よりも小さいことを検出すると、リセット回路１０６へ、異常が発生したことを示す信号を入力する。すると、リセット回路１０６から出力されるリセット信号ＲＴＣ＿Ｒがローレベルからハイレベルへ遷移し、リセットの指示が再起動部３１７に入力される（矢印Ｙ１５）。
【００４７】
ＡＳＩＣ１０の再起動部３１７は、リセット回路１０６からリセットの指示が入力された時点（時刻Ｔ１４）において、電圧Ｖ３が第２所定値ＰＶ２（１．４ボルト）よりも小さいことを示すローレベルの信号Ｐ＿ＧＯＯＤ２を受信している。よって再起動部３１７は、ハイレベルの再起動信号ＢＳを出力することで、電源部３０２へ再起動を指示する（領域Ｒ１２）。時刻Ｔ１５において電源部３０２は、パワーオンリセット動作を開始するために、入力電圧ＶＤを０ボルトに低下させる。
【００４８】
以上説明したように、パターン１の動作（スイッチング制御回路２２１に異常が発生）では、図４に示すように、スイッチング制御回路１２１のみが動作が続行され、スイッチング制御回路１２１以外の他のスイッチング制御回路の動作が停止されるように制御が行われる。
【００４９】
パターン２の動作について、図６のタイミングチャートを用いて説明する。パターン２の動作は、電源管理装置２００のスイッチング制御回路２２２に異常が発生した場合の動作である。時刻Ｔ２１において、スイッチング制御回路２２２に異常が発生すると、スイッチングレギュレータＳＲ２２は動作を停止し、電圧Ｖ３の値が設定電圧である１．５ボルトから低下し始める。
【００５０】
時刻Ｔ２２において、電圧Ｖ３が第２所定値ＰＶ２（１．４ボルト）よりも小さくなると、出力電圧監視回路２９２から出力される信号Ｐ＿ＧＯＯＤ２はハイレベルからローレベルへ遷移する（矢印Ｙ２１）。ローレベルの信号Ｐ＿ＧＯＯＤ２が、制御手段１０１およびＡＳＩＣ１０の再起動部３１７に入力される。ローレベルのＰ＿ＧＯＯＤ２が入力されると、異常検知手段１４２は、スイッチング制御回路１２２および１２３を停止させる停止信号を過電圧／減電圧検出回路１２４に出力する。すると、過電圧／減電圧検出回路１２４は、スイッチング制御回路１２２および１２３を停止する（矢印Ｙ２２）。よって、電圧Ｖ４（３．３ボルト）が低下し始める。一方、過電圧／減電圧検出回路１２４は、スイッチングレギュレータＳＲ１１のスイッチング制御回路１２１は停止しない。よって電圧Ｖ１は、５ボルトの状態が維持される（領域Ｒ２１）。また、電圧Ｖ３が第２所定値ＰＶ２（１．４ボルト）よりも小さくなると、スイッチングレギュレータＳＲ２２で異常が発生した旨が、制御手段２０１の異常検知手段２４２で検出される。異常検知手段２４２は、スイッチング制御回路２２１および２２２を停止する停止信号を過電圧／減電圧検出回路２２４に出力する。すると、過電圧／減電圧検出回路２２４は、スイッチング制御回路２２１を停止させる（矢印Ｙ２３）。よって、電圧Ｖ２（１．２ボルト）が低下し始める。
【００５１】
時刻Ｔ２３において、電圧Ｖ４が第３所定値ＰＶ３（３．２ボルト）よりも小さくなると、スイッチングレギュレータＳＲ１２で異常が発生した旨が異常検知手段１４２で検出される。よって、リセット回路１０６から出力される信号リセット信号ＲＴＣ＿Ｒがローレベルからハイレベルへ遷移し、リセットの指示が再起動部３１７に入力される（矢印Ｙ２４）。
【００５２】
ＡＳＩＣ１０の再起動部３１７は、リセット回路１０６からリセットの指示が入力された時点（時刻Ｔ２３）において、ローレベルの信号Ｐ＿ＧＯＯＤ２を受信している。よって再起動部３１７は、ハイレベルの再起動信号ＢＳを出力することで、電源部３０２へ再起動を指示する（領域Ｒ２２）。時刻Ｔ２４において電源部３０２は、パワーオンリセット動作を開始するために、入力電圧ＶＤを０ボルトに低下させる。
【００５３】
以上説明したように、パターン２の動作（スイッチング制御回路２２２に異常が発生）では、図４に示すように、スイッチング制御回路１２１のみが動作が続行され、スイッチング制御回路１２１以外の他のスイッチング制御回路の動作が停止されるように制御が行われる。
【００５４】
パターン３の動作について、図７のタイミングチャートを用いて説明する。パターン３の動作は、電源管理装置１００のスイッチング制御回路１２１に異常が発生した場合の動作である。時刻Ｔ３１において、スイッチング制御回路１２１に異常が発生すると、スイッチングレギュレータＳＲ１１は動作を停止し、電圧Ｖ１の値が設定電圧である５ボルトから低下し始める。
【００５５】
時刻Ｔ３２において、電圧Ｖ１が第４所定値ＰＶ４（４．９ボルト）よりも小さくなると、スイッチングレギュレータＳＲ１１で異常が発生した旨が、制御手段１０１の異常検知手段１４２で検出される。異常検知手段１４２はスイッチング制御回路１２１〜１２３を停止させる停止信号を過電圧／減電圧検出回路１２４に出力する。過電圧／減電圧検出回路１２４は、スイッチング制御回路１２２（スイッチングレギュレータＳＲ１２）およびスイッチング制御回路１２３（スイッチングレギュレータＳＲ１３）を停止する。よって、スイッチングレギュレータＳＲ１２から出力される、電圧Ｖ４（３．３ボルト）が低下し始める（矢印Ｙ３１）。異常検知手段１４２は、リセット回路１０６へ、異常を検出したことを示す信号を入力する。すると、リセット回路１０６から出力される信号リセット信号ＲＴＣ＿Ｒがローレベルからハイレベルへ遷移し、リセットの指示が再起動部３１７に入力される（矢印Ｙ３２）。
【００５６】
ＡＳＩＣ１０の再起動部３１７は、リセット回路１０６からリセットの指示が入力された時点（時刻Ｔ３２）において、電圧Ｖ３が第２所定値ＰＶ２（１．４ボルト）よりも大きいことを示すハイレベルの信号Ｐ＿ＧＯＯＤ２を受信している。よって再起動部３１７は、再起動信号ＢＳをローレベルに維持することで、電源部３０２へ再起動を指示しない（領域Ｒ３１）。
【００５７】
時刻Ｔ３３において、電圧Ｖ１が下限電圧値ＬＶよりも小さくなると、スイッチングレギュレータＳＲ２１およびＳＲ２２から出力される電圧Ｖ２および電圧Ｖ３が低下し始める。下限電圧値ＬＶは、スイッチングレギュレータＳＲ２１およびＳＲ２２の出力電圧を設定電圧にレギュレートするために必要な、スイッチングレギュレータＳＲ２１およびＳＲ２２の入力電圧（電圧Ｖ１）の下限値である。
【００５８】
時刻Ｔ３４において、電圧Ｖ２が第１所定値ＰＶ１（１．１ボルト）よりも小さくなると、出力電圧監視回路２９１から出力される信号Ｐ＿ＧＯＯＤ１はハイレベルからローレベルへ遷移する（矢印Ｙ３３）。また時刻Ｔ３４において、電圧Ｖ３が第２所定値ＰＶ２（１．４ボルト）よりも小さくなると、出力電圧監視回路２９２から出力される信号Ｐ＿ＧＯＯＤ２はハイレベルからローレベルへ遷移する（矢印Ｙ３４）。以上説明したように、パターン３の動作（スイッチング制御回路１２１に異常が発生）では、図４に示すように、スイッチング制御回路１２１を含む全てのスイッチング制御回路の動作が停止されるように制御が行われる。
【００５９】
パターン４の動作について、図８のタイミングチャートを用いて説明する。パターン４の動作は、電源管理装置１００のスイッチング制御回路１２２に異常が発生した場合の動作である。時刻Ｔ４１において、スイッチング制御回路１２２に異常が発生すると、スイッチングレギュレータＳＲ１２は動作を停止し、電圧Ｖ４の値が設定電圧である３．３ボルトから低下し始める。
【００６０】
時刻Ｔ４２において、電圧Ｖ４が第３所定値ＰＶ３（３．２ボルト）よりも小さくなると、スイッチングレギュレータＳＲ１２で異常が発生した旨が、制御手段１０１の異常検知手段１４２で検出される。異常検出手段１４２は、スイッチング制御回路１２１〜１２３を停止させる停止信号を過電圧／減電圧検出回路１２４に出力する。すると、過電圧／減電圧検出回路１２４は、スイッチング制御回路１２１（スイッチングレギュレータＳＲ１１）およびスイッチング制御回路１２３（スイッチングレギュレータＳＲ１３）を停止する。よって、スイッチングレギュレータＳＲ１１から出力される、電圧Ｖ１（５ボルト）が低下し始める（矢印Ｙ４１）。また、異常検知手段１４２は、電圧Ｖ４が第３所定値ＰＶ３よりも小さくなったことを検知すると、リセット回路１０６へ異常を検出したことを示す信号を入力する。すると、リセット回路１０６から出力される信号リセット信号ＲＴＣ＿Ｒがローレベルからハイレベルへ遷移し、リセットの指示が再起動部３１７に入力される（矢印Ｙ４２）。
【００６１】
ＡＳＩＣ１０の再起動部３１７は、リセット回路１０６からリセットの指示が報知された時点（時刻Ｔ４２）において、電圧Ｖ３が第２所定値ＰＶ２（１．４ボルト）よりも大きいことを示すハイレベルの信号Ｐ＿ＧＯＯＤ２を受信している。よって再起動部３１７は、再起動信号ＢＳをローレベルに維持することで、電源部３０２へ再起動を指示しない（領域Ｒ４１）。
【００６２】
時刻Ｔ４３において、電圧Ｖ１が下限電圧値ＬＶよりも小さくなると、スイッチングレギュレータＳＲ２１およびＳＲ２２から出力される電圧Ｖ２および電圧Ｖ３が低下し始める。
【００６３】
時刻Ｔ４４において、電圧Ｖ２が第１所定値ＰＶ１（１．１ボルト）よりも小さくなると、出力電圧監視回路２９１から出力される信号Ｐ＿ＧＯＯＤ１はハイレベルからローレベルへ遷移する（矢印Ｙ４３）。また時刻Ｔ４４において、電圧Ｖ３が第２所定値ＰＶ２（１．４ボルト）よりも小さくなると、出力電圧監視回路２９２から出力される信号Ｐ＿ＧＯＯＤ２はハイレベルからローレベルへ遷移する（矢印Ｙ４４）。以上説明したように、パターン４の動作（スイッチング制御回路１２２に異常が発生）では、図４に示すように、スイッチング制御回路１２１を含む全てのスイッチング制御回路の動作が停止されるように制御が行われる。
【００６４】
パターン５の動作について説明する。パターン５の動作は、電源管理装置２００のリニアレギュレータ２２３に異常が発生した場合の動作である異常検知手段２４２は、リニアレギュレータ２２３から出力される電圧Ｖ５（３．３ボルト）に異常が発生したことを検知すると、過電圧／減電圧検出回路２２４にリニアレギュレータ２２３の停止を指示する停止信号を出力する。すると、過電圧／減電圧検出回路２２４はリニアレギュレータ２２３を停止させる。これによりパターン５の動作では、図４に示すように、リニアレギュレータ２２３以外の他のスイッチング制御回路の動作が継続されるように制御が行われる。
【００６５】
＜効果＞
本明細書に開示されている画像形成装置１の効果を説明する。電源管理装置２００のスイッチングレギュレータＳＲ２１またはＳＲ２２で異常が発生したときには、電源管理装置１００では、スイッチングレギュレータＳＲ１１を停止させない一方で、スイッチングレギュレータＳＲ１２を停止させる。スイッチングレギュレータＳＲ１１が動作している状態が維持されることによって、電源管理装置２００へ電圧Ｖ１（５ボルト）が供給され続けるため、電源管理装置２００内の各種回路（出力電圧監視回路２９１、２９２など）を、動作状態に維持することができる。これにより、電源管理装置２００で異常が発生した場合においても、電源管理装置２００のスイッチングレギュレータＳＲ２１またはＳＲ２２からＡＳＩＣ１０へ、異常電圧が供給されないように監視および制御することができる。これにより、ＡＳＩＣ１０が故障してしまう事態を防止できるため、画像形成装置１に致命的な損傷を与えることを防ぐことが可能となる。
【００６６】
コア部３００は、ＡＳＩＣ１０の各種演算を実行する回路である。またコア部３００は、ＡＳＩＣ１０内のコア部３００以外の回路を制御する回路である。コア部３００への電圧Ｖ２（１．２ボルト）の供給が停止している間に、ＡＳＩＣ１０内のコア部３００以外の回路に電圧が供給されると、コア部３００以外の回路がコア部３００によって制御されていない状態で、コア部３００以外の回路に電力が供給されることになる。すると、コア部３００以外の回路が故障するおそれがある。本明細書に開示されている画像形成装置１では、コア部３００へ供給される電圧Ｖ２が第１所定値ＰＶ１（１．１ボルト）よりも小さくなることに応じて、コア部３００以外の回路へ供給される電圧Ｖ４（３．３ボルト）の供給を停止することができる。よって、コア部３００以外の回路が故障してしまう事態を防止できる。
【００６７】
電源管理装置１００に異常が発生した場合には、スイッチング制御回路１２１および１２２を停止させることで、電圧Ｖ１および電圧Ｖ４の供給を停止することができる。スイッチング制御回路２２１および２２２は、電圧Ｖ１の供給により動作しているため、電圧Ｖ１の供給を停止することで、スイッチング制御回路２２１および２２２の動作を停止させることができる。すなわち電圧Ｖ１を、電源管理装置１００から電源管理装置２００へ停止を指示するための信号として用いることができる。これにより、スイッチング制御回路２２１および２２２の動作停止を指示するための新たな回路を設ける必要を無くすことができるため、画像形成装置１の構成を簡易化することが可能となる。また、ＡＳＩＣ１０内のコア部３００以外の回路へ供給される電圧Ｖ４を、コア部３００へ供給される電圧Ｖ２よりも先に停止させることができる。これにより、ＡＳＩＣ１０内のコア部３００以外の回路が故障してしまう事態を防止することができる。
【００６８】
電源管理装置１００に異常が発生している旨のリセット信号ＲＴＣ＿ＲをＡＳＩＣ１０がリセット回路１０６から受信したときに、電圧Ｖ２（１．２ボルト）が第１所定値ＰＶ１（１．１Ｖ）よりも小さい旨の信号Ｐ＿ＧＯＯＤ２をＡＳＩＣ１０が受信している場合には、電源管理装置２００に異常が発生したことにより電源管理装置１００に異常が発生している場合であると判断できる。この場合には、電源管理装置１００に故障が発生していない可能性があるため、再起動部３１７から再起動を指示する再起動信号ＢＳを出力することで、画像形成装置１を再起動（パワーオンリセット）することができる。一方、電源管理装置１００に異常が発生している旨のリセット信号ＲＴＣ＿ＲをＡＳＩＣ１０がリセット回路１０６から受信したときに、電圧Ｖ２（１．２ボルト）が第１所定値ＰＶ１（１．１Ｖ）よりも大きい旨の信号Ｐ＿ＧＯＯＤ２をＡＳＩＣ１０が受信している場合には、電源管理装置１００に異常が発生している場合であると判断できる。この場合には、電源管理装置２００に電圧Ｖ１（５ボルト）を供給する電源管理装置１００に故障が発生しているため、再起動部３１７から再起動を指示する再起動信号ＢＳを出力しないことで、画像形成装置１を再起動（パワーオンリセット）しないように制御することができる。これにより、画像形成装置１の再起動を適切に制御することが可能となる。
【００６９】
電源管理装置１００は記憶手段１０２を備えている。記憶手段１０２には、ＡＳＩＣ１０から、クロック信号ＣＬＫ、データ信号ＤＡＴＡ、ストローブ信号ＳＴＢ１、が入力される。一方、電源管理装置２００は記憶手段を備えていない。電源管理装置２００には、ＡＳＩＣ１０から、クロック信号、データ信号、ストローブ信号、などが入力されていない。これにより、画像形成装置１の構成を簡易化することが可能となる。
【００７０】
以上、本開示の技術の具体例を詳細に説明したが、これらは例示にすぎず、特許請求の範囲を限定するものではない。特許請求の範囲に記載の技術には、以上に例示した具体例を様々に変形、変更したものが含まれる。
【００７１】
＜変形例＞
本実施形態では、第１所定値ＰＶ１〜第４所定値ＰＶ４の例として、設定電圧（レギュレートする目標電圧）から０．１ボルトのマージン値を減算して得られた値を用いる場合を説明したが、この形態に限られない。各種の値を設定値に用いることが可能である。設定電圧と所定電圧との差を小さくするほど、スイッチングレギュレータの異常検出の感度を高めることが可能となる。
【００７２】
本実施形態では、スイッチング制御回路２２１から出力される電圧Ｖ２が低下したことを出力電圧監視回路２９１で検出し、信号Ｐ＿ＧＯＯＤ１によって異常検知手段２４２に報知する形態を説明したが、この形態に限られない。電圧Ｖ２が低下したことを異常検知手段２４２が検出するとしてもよい。そして、異常検知手段２４２は、過電圧／減電圧検出回路２２４へスイッチング制御回路を停止する停止信号を出力するとしてもよい。
【００７３】
入力電圧ＶＤ、電圧Ｖ１〜Ｖ５の値は全て一例であり、他の値が用いられる場合においても本開示の技術を適用することが可能である。
【００７４】
本実施例では、インクジェット画像形成装置に本開示の技術を適用した例を挙げて説明したが、本開示の技術はこれに限定されない。複数のスイッチングレギュレータを含む回路構成であれば、画像形成装置に限定されず、様々な機器の制御回路にも適用することが可能である。
【００７５】
本実施例では、スイッチングレギュレータを、合わせて５個備える形態を説明した。しかし、これらの数は５つに限られず、４個以下または６個以上の場合においても本開示の技術を適用することが可能である。
【００７６】
また、上記実施形態においては、電源管理装置１００および２００に複数のスイッチングレギュレータが内蔵される場合を説明したが、スイッチングレギュレータ以外の電源供給回路を複数含む場合においても、本開示の技術を適用することは可能である。
【００７７】
平滑回路１５１〜１５３、平滑回路２５１および２５２は、電源管理装置１００および２００の外付部品である場合に限らず、電源管理装置１００および２００に内蔵されていてもよい。分圧回路１６１〜１６３、分圧回路２６１および２６２は、電源管理装置１００および２００の外付部品である場合に限らず、電源管理装置１００および２００に内蔵されていてもよい。
【００７８】
電源管理装置１００および２００は、各々、別体のＩＣ（Integrated Circuit）として形成されている場合を説明したが、この形態に限られない。例えば、一体のＩＣとして形成されていてもよい。また、電源管理装置１００と２００の機能が、３つ以上の別体のＩＣによって実現されていてもよい。ＩＣの数を増やすほど、放熱性やレイアウトの自由度やノイズ減少効果を高めることができる。
【００７９】
電源管理装置１００は、ＡＳＩＣ１０からシリアル通信によりコントロールされる例を説明したが、信号線の数やレイアウトなどの制約がなければ、複数の信号線（パラレル転送）により通信を行う形態としてもよい。
【００８０】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００８１】
なお、電源管理装置１００は、第１電源管理装置の一例である。電源管理装置２００は、第２電源管理装置の一例である。ＡＳＩＣ１０は、中央処理装置の一例である。入力電圧ＶＤは、第１電圧の一例である。スイッチングレギュレータＳＲ１１は、第１降圧スイッチングレギュレータの一例である。電圧Ｖ１は、第２電圧の一例である。スイッチング制御回路１２１は、第１スイッチング制御部の一例である。スイッチングレギュレータＳＲ１２は、第２降圧スイッチングレギュレータの一例である。電圧Ｖ４は、第３電圧の一例である。スイッチング制御回路１２２は、第２スイッチング制御部の一例である。スイッチングレギュレータＳＲ２１、ＳＲ２２は、第３降圧スイッチングレギュレータの一例である。電圧Ｖ３および電圧Ｖ２は、第４電圧の一例である。スイッチング制御回路２２１および２２２は、第３スイッチング制御部の一例である。過電圧／減電圧検出回路２２４は、第１停止部の一例である。第１所定値ＰＶ１、第２所定値ＰＶ２は、所定値の一例である。出力電圧監視回路２９１および２９２は、監視部の一例である。信号Ｐ＿ＧＯＯＤ２は、通知信号の一例である。過電圧／減電圧検出回路１２４は、第２停止部の一例である。スイッチング動作設定値は、設定値の一例である。記憶手段１０２は、記憶部の一例である。再起動部３１７は、再起動部の一例である。
【符号の説明】
【００８２】
１：画像形成装置、１０：ＡＳＩＣ、１００および２００：電源管理装置、１２１〜１２３：スイッチング制御回路、２２１および２２２：スイッチング制御回路、Ｖ１〜Ｖ５：電圧、ＳＲ１１〜ＳＲ１３、ＳＲ２１、ＳＲ２２：スイッチングレギュレータ
【図１】
0005900109.tif 000002
【図２】
0005900109.tif 000003
【図３】
0005900109.tif 000004
【図４】
0005900109.tif 000005
【図５】
0005900109.tif 000006
【図６】
0005900109.tif 000007
【図７】
0005900109.tif 000008
【図８】
0005900109.tif 000009